(57)【要約】【課題】バリキャップダイオードを用いた受信装置において、周辺温度の変化による受信特性の劣化を防止する。【解決手段】本発明による受信装置は、バリキャップダイオードＢＤ１、ＢＤ２及び可変インダクタＶＬ１を備えるチューナブルフィルタ回路２と、チューナブルフィルタ回路２の周辺温度を検出する温度センサ１０と、周辺温度Ｔに応じた電圧を、バリキャップダイオードＢＤ１、ＢＤ２と可変インダクタＶＬ１に印加して、チューナブルフィルタ回路２の同調周波数を設定するベースバンドＬＳＩ９とを具備する。【選択図】図１
2010199768.tif 000002
【特許請求の範囲】
【請求項１】
バリキャップダイオード及び可変インダクタを備えるチューナブルフィルタと、
前記チューナブルフィルタの周辺温度を検出する温度センサと、
前記周辺温度に応じた電圧を、前記バリキャップダイオードと前記可変インダクタに印加して、前記チューナブルフィルタの同調周波数を設定するベースバンドユニットと、
を具備する
受信装置。
【請求項２】
請求項１に記載の受信装置において、
前記ベースバンドユニットは、
前記同調周波数に応じた、第１制御データと第２制御データとを出力する周波数制御部と、
前記第１制御データは前記バリキャップダイオードに印加する第１電圧の大きさを決定し、前記第２制御データは、前記可変インダクタに印加する第２電圧の大きさを決定し、
前記周辺温度に応じた第１補正データと第２補正データを出力する周波数補正部と、
を備え、
前記ベースバンドユニットは、前記第１補正データによって前記第１制御データを補正して前記第１電圧を変更し、前記第２補正データによって前記第２制御データを補正して前記第２電圧を変更する
受信装置。
【請求項３】
請求項２に記載の受信装置において、
前記第１補正データ及び前記第２補正データが格納された温度補正値用メモリを更に具備し、
前記第１補正データ及び前記第２補正データは、チューナブルフィルタの温度特性に応じて設定され、
前記周波数補正部は、前記周辺温度に応じた第１補正データと第２補正データを前記温度補正値用メモリから抽出する
受信装置。
【請求項４】
請求項３に記載の受信装置において、
前記第１補正データ及び前記第２補正データは、チューナブルフィルタの周波数特性に応じて設定され、
前記周波数補正部は、前記同調周波数に応じた第１補正データと第２補正データを前記温度補正値用メモリから抽出する
受信装置。
【請求項５】
請求項２から４のいずれか１項に記載の受信装置において、
前記ベースバンドユニットは、前記第１制御データと前記第１補正データを加算する第１加算回路と、前記第２制御データと前記第２補正データを加算する第２加算回路とを更に備える
受信装置。
【請求項６】
請求項１から５のいずれか１項に記載の受信装置において、
前記ベースバンドユニットは、予め設定されたホッピングパタンに応じて前記チューナブルフィルタの同調周波数を設定する
受信装置。
【請求項７】
バリキャップダイオード及び可変インダクタを備えるチューナブルフィルタの周辺温度を検出するステップと、
前記周辺温度に応じた電圧を、前記バリキャップダイオードと前記可変インダクタに印加して、前記チューナブルフィルタの同調周波数を設定するステップと、
を具備する
受信方法。
【請求項８】
請求項７に記載の受信方法において、
前記同調周波数を設定するステップは、
前記同調周波数に応じた、第１制御データと第２制御データとを出力するステップと、
前記第１制御データは前記バリキャップダイオードに印加する第１電圧の大きさを決定し、前記第２制御データは、前記可変インダクタに印加する第２電圧の大きさを決定し、
前記周辺温度に応じた第１補正データと第２補正データを出力するステップと、
前記第１補正データによって前記第１制御データを補正して前記第１電圧を変更するステップと、
前記第２補正データによって前記第２制御データを補正して前記第２電圧を変更するステップと、
を備える
受信方法。
【請求項９】
請求項８に記載の受信方法において、
前記第１補正データ及び前記第２補正データは、チューナブルフィルタの温度特性に応じた値が温度補正値用メモリに設定され、
前記第１補正データと第２補正データを出力するステップは、
前記周辺温度に応じた第１補正データと第２補正データを温度補正値用メモリから抽出するステップを備える
受信方法。
【請求項１０】
請求項９に記載の受信方法において、
前記第１補正データ及び前記第２補正データは、チューナブルフィルタの周波数特性に応じた値が前記温度補正値用メモリに設定され、
前記第１補正データと第２補正データを出力するステップは、
前記同調周波数に応じた第１補正データと第２補正データを前記温度補正値用メモリから抽出する
受信方法。
【請求項１１】
請求項８から１０のいずれか１項に記載の受信方法において、
前記第１電圧を変更するステップは、前記第１制御データと前記第１補正データを加算するステップを備え、
前記前記第２電圧を変更するステップは、前記第２制御データと前記第２補正データを加算するステップを備える
受信方法。
【請求項１２】
請求項７から１１のいずれか１項に記載の受信方法において、
前記同調周波数を設定するステップは、予め設定されたホッピングパタンに応じて前記チューナブルフィルタの同調周波数を設定するステップを備える
受信方法。
【発明の詳細な説明】
【技術分野】
【０００１】
本発明は、バリキャップダイオード及び可変インダクタを用いたチューナブルフィルタを備える受信装置、及びその受信装置における受信方法に関する。
【背景技術】
【０００２】
同調周波数を任意の値に設定するため、ＲＦ同調回路にバリキャップダイオードを利用することが知られている。印加する電圧を制御することで、バリキャップダイオードの容量を変更することが可能である。このため、バリキャップダイオードを、同調周波数を設定するフィルタとして使用することで、同調周波数を任意に変更することが可能となる。
【０００３】
バリキャップダイオードは周波数特性を有しており、ＲＦ同調回路における同調周波数と、希望局に対応するＲＦ信号の周波数とにずれが生じることがある。このため、バリキャップダイオードの周波数特性を考慮した電圧（補正信号）を印加することで、同調周波数を希望局に対応する周波数に一致するように補正している。例えば、特開平１０−２７６１１０には、バリキャップダイオードを制御することで同調周波数を補正し、トラッキングエラーを防止するラジオ受信機が記載されている（特許文献１参照）。
【０００４】
しかし、バリキャップダイオードは、温度特性を有しているため、温度の変化に応じてバリキャップダイオードの容量が変化し、同調周波数が所望の値にならないことがある。このような問題を解決するため、特許文献１に記載のラジオ受信機では、バリキャップダイオードの周波数特性のみならず温度特性も考慮して同調周波数が補正される。
【０００５】
一方、ＨＦ、ＶＨＦ、ＵＨＦの業務用通信では、秘話性を持たせるため周波数ホッピング（以下、ＦＨと称す）によるスペクトラム拡散無線方式が用いられている。
【０００６】
このような周波数変調をおこなう場合、受信周波数の全帯域で見ると、希望波よりも不要波の信号レベルが大きくなる場合がある。このような場合、希望波に隣接する周波数帯の信号（不要波）を受信してしまい、インターモジュレーションによる感度低下をおこし、受信性能が劣化する。従って、キャリア周波数の遷移に追従しながら、希望波以外の不要波を除去し、希望波のみを抽出できる可変フィルタが必要となる。この可変フィルタはチューナブルフィルタもしくはアジャイルフィルタともいう。ＦＨ通信を行なう受信装置に利用される可変フィルタとして、上述のバリキャップダイオードが好適に利用される。
【先行技術文献】
【特許文献】
【０００７】
【特許文献１】特開平１０−２７６１１０
【発明の概要】
【発明が解決しようとする課題】
【０００８】
近年、様々な通信方式が混在し、異なる通信システムがそれぞれ非同期に通信を行なっている。このため広帯域、且つホッピング周波数のステップ間隔が狭い通信システムを実現するには、チューナブルフィルタ（バリキャップダイオード）の静電容量の変化範囲を大きくする必要がある。すなわち、バリキャップダイオードへの印加電圧の電圧レンジを大きくする必要がある。又、ホッピング周波数のステップ間隔を狭くするためには、バリキャップダイオードへの印加電圧の電圧制御ステップ分解能を細かくする必要もある。
【０００９】
しかし、バリキャップダイオードは使用環境温度の変化（高温又は低温）によって静電容量の変動が大きいため、設定した同調周波数のフィルタ特性がずれてしまい隣接周波数帯の信号を十分に除去することができなくなる場合がある。この場合、インターモジュレーションにより受信感度が低下し、受信特性劣化をおこしてしまう。
【００１０】
以上のことから、本発明の目的は、バリキャップダイオードを用いた受信装置において、周辺温度の変化による受信特性の劣化を防止することにある。
【課題を解決するための手段】
【００１１】
上記の課題を解決するために、本発明は、以下に述べられる手段を採用する。その手段を構成する技術的事項の記述には、［特許請求の範囲］の記載と［発明を実施するための形態］の記載との対応関係を明らかにするために、［発明を実施するための形態］で使用される番号・符号が付加されている。ただし、付加された番号・符号は、［特許請求の範囲］に記載されている発明の技術的範囲を限定的に解釈するために用いてはならない。
【００１２】
本発明による受信装置は、バリキャップダイオード（ＢＤ１、ＢＤ２）及び可変インダクタ（ＶＬ１）を備えるチューナブルフィルタ回路（２）と、チューナブルフィルタ回路（２）の周辺温度を検出する温度センサ（１０）と、周辺温度（Ｔ）に応じた電圧を、バリキャップダイオード（ＢＤ１、ＢＤ２）と可変インダクタ（ＶＬ１）に印加して、チューナブルフィルタ回路（２）の同調周波数を設定するベースバンドユニット（９）とを具備する。
【００１３】
本発明では、周辺温度に応じた電圧によってバリキャップダイオード（ＢＤ１、ＢＤ２）の容量値と可変インダクタ（ＶＬ１）のインダクタ値を制御することでフィルタ特性を補正することができる。本発明ではフィルタの容量のみならずインダクタも補正しているため、同調周波数を固定しつつ、フィルタの通過帯域（遮断帯域）を改善することができる。このため、周辺温度によって劣化したチューナブルフィルタ回路（２）のフィルタ特性を改善することができる。
【００１４】
又、本発明による受信方法は、バリキャップダイオード（ＢＤ１、ＢＤ２）及び可変インダクタ（ＶＬ１）を備えるチューナブルフィルタ回路（２）の周辺温度（Ｔ）を検出するステップと、周辺温度（Ｔ）に応じた電圧を、バリキャップダイオード（ＢＤ１、ＢＤ２）と可変インダクタ（ＶＬ１）に印加して、チューナブルフィルタ回路（２）の同調周波数を設定するステップとを具備する。
【発明の効果】
【００１５】
以上のように、本発明によれば、バリキャップダイオードを用いた受信装置において、周辺温度の変化による受信特性の劣化を防止することができる。
【図面の簡単な説明】
【００１６】
【図１】図１は、周波数ホッピング受信装置の実施の形態における構成を示す図である。
【図２】図２は、本発明に係る可変インダクタＶＬ１の構成の一例を示す図である。
【図３】図３は、温度補正値用メモリに格納される補正値テーブルの一例を示す図である。
【図４】図４は、温度補正値用メモリに格納される補正値テーブルの一例を示す図である。
【図５】図５は、本発明による周波数ホッピング受信装置の同調周波数の設定動作を示すフロー図である。
【図６】図６は、常温時におけるフィルタ特性を示す図である。
【図７】図７は、温度に起因して変動したフィルタ特性（補正なし）を示す図である。
【図８】図８は、本発明による周波数ホッピング受信装置において、補正されたフィルタ特性を示す図である。
【発明を実施するための形態】
【００１７】
以下、添付図面を参照しながら本発明の実施の形態を説明する。図面において同一、又は類似の参照符号は、同一、類似、又は等価な構成要素を示している。
【００１８】
（構成）
図１から図４を参照して、本発明による周波数ホッピング受信装置の構成を説明する。図１は、周波数ホッピング受信装置の実施の形態における構成を示す図である。図２は、本発明に係る可変インダクタＶＬ１の構成の一例を示す図である。図３及び図４は、温度補正値用メモリ１１に格納される補正値テーブル１１１、１１２の一例を示す図である。
【００１９】
図１を参照して、本発明による周波数ホッピング受信装置は、アンテナ１、チューナブルフィルタ回路２、ローノイズアンプ３（以下、ＬＮＡ３と称す）、ミキサ４、バンドパスフィルタ５（以下、ＢＰＦ５と称す）、ＦＨシンセサイザ６、ＡＧＣアンプ７（自動利得制御増幅器）、ＡＤＣ８（ＡＤコンバータ）、ベースバンドＬＳＩ９（ベースバンドユニット）、温度センサ１０、及び温度補正値用メモリ１１を具備する。
【００２０】
チューナブルフィルタ回路２は、バリキャップダイオードＢＤ１、ＢＤ２、コンデンサＣ１、Ｃ２、Ｃ３、可変インダクタＶＬ１、及びインダクタＬ１、Ｌ２、抵抗Ｒ１を備え、通過帯域（遮断帯域）を変更可能なバンドパスフィルタを構成する。詳細には、アンテナ１は、コンデンサＣ１を介してインダクタＬ１、Ｌ２のそれぞれの一端に接続される。インダクタＬ１の他端は接地され、インダクタＬ２の他端はコンデンサＣ３を介してＬＮＡ３に接続されるとともに、コンデンサＣ２を介して接地される。可変インダクタＶＬ１の一端はインダクタＬ２とコンデンサＣ３の間に接続され、他端は接地される。バリキャップダイオードＢＤ１、ＢＤ２はカソード同士が接続され、バリキャップダイオードのＤ１のアノードはインダクタＬ２とコンデンサＣ３との間に接続され、バリキャップダイオードＢＤ２のアノードは接地される。
【００２１】
バリキャップダイオードＢＤ１、ＢＤ２のカソードには抵抗Ｒ２を介してベースバンドＬＳＩ９から制御電圧Ｖ１が印加される。制御電圧Ｖ１の大きさに応じてバリキャップダイオードＢＤ１、ＢＤ２の容量及びインダクタは変動する。又、可変インダクタＶＬ１にはベースバンドＬＳＩ９から制御電圧Ｖ２が印加される。制御電圧Ｖ２の大きさに応じて可変インダクタＶＬ１のインダクタは変動する。以上のことから、本発明では、制御電圧Ｖ１、Ｖ２に応じてチューナブルフィルタ回路２のフィルタ特性（同調周波数や３ｄＢ通過帯域の大きさ）が制御される。これにより、チューナブルフィルタ回路２の中心周波数（同調周波数）を希望波の周波数に設定することができる。
【００２２】
本発明では、バリキャップダイオードＢＤ１、ＢＤ２を使用することで、１つもしくは数回路でチューナブルフィルタ回路２を構成することができる。又、インダクタＬ１、Ｌ２、抵抗、Ｒ１、コンデンサＣ１、Ｃ２、Ｃ３、といった集中定数回路で実現できるため、回路規模を小さくすることができる。
【００２３】
図２を参照して可変インダクタＶＬ１の構成に一例を示す。可変インダクタＶＬ１は、スイッチＳＷ、複数のインダクタＬ１１〜Ｌ１ｎ、及びＡＤＣ１２（ＡＤ）を備える。ＡＤＣ１２は、制御電圧Ｖ２をデジタル信号に変換しスイッチＳＷに入力する。スイッチＳＷは、制御電圧Ｖ２に応じて、制御信号Ｖ２に応じて、インダクタＬ２及びコンデンサＣ３に接続するインダクタを、複数のインダクタＬ１１〜Ｌ１ｎから選択する。このような構成により、可変インダクタＶＬ１は制御電圧Ｖ２に応じたインダクタ値を示し、フィルタ（共振回路）を構成するインダクタの大きさを変更することができる。尚、可変インダクタＶＬ１の構成は、制御電圧Ｖ２に応じてインダクタ値が変更されればこれに限らない。
【００２４】
アンテナ１から入力されたアナログ信号のうち、不要な周波数帯のＲＦ信号（不要波）はチューナブルフィルタ回路２によって除かれ、希望周波数帯（同調周波数帯）のＲＦ信号（希望波）のみがＬＮＡ３に入力される。ＬＮＡ３は、入力された希望波信号を高周波増幅してミキサ４に出力する。一方、ＦＨシンセサイザ６には、ベースバンドＬＳＩにおいて設定されたホッピングパタンに応じた周波数制御信号ＦＨ１が入力される。ＦＨシンセサイザ６は、周波数制御信号ＦＨ１に基づいて設定された周波数（受信周波数）の複素ローカル信号をミキサ４に出力する。
【００２５】
ミキサ４は、乗算処理によりＬＮＡ４からの希望波信号とＦＨシンセサイザ６からの複素ローカル信号をミキシングし、ＩＦ周波数のＩＦ信号として出力する。ＩＦ信号は、ＢＰＦ５によって帯域制限された後、ＡＧＣアンプ７において増幅される。以上の処理により、受信信号が、アナログベースバンド信号にダウンコンバートされる。アナログベースバンド信号は、ＡＤＣ８によってデジタル信号に変換され、ベースバンドＬＳＩ９に入力される。ベースバンドＬＳＩ９は、入力されたベースバンド信号を従来と同様に復調する。
【００２６】
本発明によるベースバンドＬＳＩ９は、ホッピングパタン（周波数ｆａ、ｆｂ、ｆｃ、…）に応じた受信周波数をＦＨシンセサイザ６に設定するとともに、チューナブルフィルタ回路２における同調周波数を設定する。この際、ベースバンドＬＳＩ９は、バリキャップダイオードＢＤ１、ＢＤ２の周波数特性及び温度特性を考慮して、チューナブルフィルタ回路２のフィルタ特性を補正する。
【００２７】
以下、ベースバンドＬＳＩ９の構成の詳細を説明する。ベースバンドＬＳＩ９は、図示しない復調部に加え、ホッピング周波数設定部９１、同調周波数制御部９２、同調周波数補正部９３、加算回路９４、９５及びＤＡＣ９６、９７（ＤＡコンバータ）を備える。ホッピング周波数設定部９１、同調周波数制御部９２、同調周波数補正部９３は、ソフトウェア、ハードウェア、又はソフトとハードの組み合せのいずれかにより実現できる。
【００２８】
ホッピング周波数設定部９１は、予め設定されたホッピングパタンに基づき、所定のタイミングで受信周波数を切り換える。この際、ホッピング周波数設定部９１は、受信周波数を設定するための周波数制御信号ＦＨ１をＦＨシンセサイザ６、同調周波数制御部９２、及び同調周波数補正部９３に出力する。これにより、受信周波数と同調周波数が設定される。
【００２９】
同調周波数制御部９２は、周波数制御信号ＦＨ１に応じて同調周波数をチューナブルフィルタ回路２に設定するための周波数制御データＤ１０、Ｄ２０を生成する。周波数制御データＤ１０は、バリキャップダイオードＲ１を制御する制御電圧Ｖ１の大きさを設定するデジタルデータである。周波数制御データＤ２０は、可変インダクタＶＬ１を制御する制御電圧Ｖ２の大きさを設定するデジタルデータである。詳細には、周波数制御データＤ１０、Ｄ２０は、基準温度におけるチューナブルフィルタ回路２を、所望の同調周波数に設定するデジタルデータである。周波数制御データＤ１０、Ｄ２０によって、チューナブルフィルタ回路２における容量値及びインダクタ値が変更され、同調周波数や３ｄＢ通過帯域等のフィルタ特性が設定される。
【００３０】
同調周波数制御部９２は、ＦＨシンセサイザ６に設定する受信周波数と同じ同調周波数となるように、周波数制御データＤ１０、Ｄ２０を出力する。すなわち、チューナブルフィルタ回路２の周波数特性や温度特性を考慮しない場合、周波数制御データＤ１０、Ｄ２０によって設定される同調周波数は、受信周波数と一致する。しかし、チューナブルフィルタ回路２には周波数特性や温度特性を有するバリキャップダイオードＢＤ１、ＢＤ２や温度特性を有するインダクタＬ１、Ｌ２が用いられている。このため、フィルタの特性（例えば同調周波数や３ｄＢ通過帯域等）は、設定される同調周波数や温度によって所望の特性から変動してしまう。本発明では、同調周波数及び温度に応じた補正値Ｄ１１、Ｄ２１を周波数制御データＤ１０、Ｄ２０に加算することで、フィルタの特性を所望の特性に補正する。尚、周辺温度が基準温度である場合、周波数制御データＤ１０、Ｄ２０を温度補正する必要はない。
【００３１】
同調周波数補正部９３には温度センサ１０で検出されたチューナブルフィルタ回路２の周辺温度（温度情報Ｔ）が入力される。同調周波数補正部９３は、周波数制御信号ＦＨ１によって、チューナブルフィルタ回路２に設定される同調周波数を特定する。そして、特定した同調周波数と、検出されたチューナブルフィルタ回路２の周辺温度とに応じて一意に決定する補正値Ｄ１１、Ｄ２１を取得し、加算回路９４、９５に出力する。
【００３２】
チューナブルフィルタ回路２のフィルタ特性は、設定される同調周波数と周辺温度とに応じて、所望の特性と異なる値を示す。このため、温度補正値用メモリ１１には、フィルタ特性を所望の特性に補正するための補正値が格納されている。詳細には、温度補正用メモリ１１には、図３に示すバリキャップダイオード用補正値テーブル１１１や、図４に示す可変インダクタ用補正値テーブル１１２が格納されている。
【００３３】
図３を参照して、バリキャップダイオード用補正値テーブル１１１には、周辺温度と設定周波数とに応じた補正値Ｄ１１が記録されている。補正値Ｄ１１は、バリキャップダイオードＢＤ１、ＢＤ２を制御する制御電圧Ｖ１の大きさを補正するためのデジタルデータである。チューナブルフィルタ回路２のフィルタ特性は、バリキャップダイオードＢＤ１、ＢＤ２の周波数特性及び温度特性に応じた特性を示す。すなわち、所定の温度と同調周波数とによって、チューナブルフィルタ回路２のフィルタ特性は一意に決まる。このため、フィルタ特性を所望の特性に補正する補正値Ｄ１１も、所定の温度と同調周波数に応じた値となる。すなわち、周辺温度と設定周波数とに応じた補正値Ｄ１１がバリキャップダイオード用補正値テーブル１１１に設定されることが好ましい。しかし、温度と周波数の組み合せは無限に存在するため、図３に示すように、所定の範囲の周辺温度と設定周波数毎に適切な補正値Ｄ１１が設定されることが好ましい。
【００３４】
図４を参照して、可変インダクタ用補正値テーブル１１２には、周辺温度と設定周波数とに応じた補正値Ｄ２１が記録されている。補正値Ｄ２１は、可変インダクタＶＲ１を制御する制御電圧Ｖ１の大きさを補正するためのデジタルデータである。チューナブルフィルタ回路２のフィルタ特性は、温度特性を有するインダクタの大きさによっても変動する。このため、フィルタ特性を所望の特性に補正する補正値Ｄ２１も、周辺温度に応じた値となる。すなわち、周辺温度に応じた補正値Ｄ２１が可変インダクタ用補正値テーブル１１２に設定されることが好ましい。
【００３５】
所望の同調周波数で且つ所望の通過帯域幅のフィルタ特性を得るためには、チューナブルフィルタ回路２の容量及びインダクタの大きさを適切にする必要がある。すなわち、周波数特性を有するバリキャップダイオードＢＤ１、ＢＤ２と連動してインダクタを制御する必要がある。このため、インダクタの周波数依存性は小さいが、設定周波数毎に補正値Ｄ２１が設定されていることが好ましい。又、補正値Ｄ１１と同様に、温度と周波数の組み合せは無限に存在するため、図４に示すように、所定の範囲の周辺温度と設定周波数毎に適切な補正値Ｄ２１が設定されることが好ましい。
【００３６】
加算回路９４は、周波数制御データＤ１０と補正値Ｄ１１を加算してバリキャップダイオード制御データＤ１を生成し、ＤＡＣ９６に出力する。ＤＡＣ９６は、バリキャップダイオード制御データＤ１をＤＡ変換し制御電圧Ｖ１としてバリキャップダイオードＢＤ１、ＢＤ２に出力する。加算回路９５は、周波数制御データＤ２０と補正値Ｄ２１を加算して可変インダクタ制御データＤ２を生成し、ＤＡＣ９７に出力する。ＤＡＣ９７は、可変ダイオード制御データＤ２をＤＡ変換し制御電圧Ｖ２として可変ダイオードＶＬ１に出力する。加算回路９４、９５はソフトウェアによって実現しても良い。
【００３７】
（動作）
以下、図５から図８を参照して、本発明による周波数ホッピング受信装置の動作の詳細を説明する。図５は、本発明による周波数ホッピング受信装置の同調周波数の設定動作を示すフロー図である。図６は、常温時におけるフィルタ特性を示す図である。図７は、温度に起因して変動したフィルタ特性（補正なし）を示す図である。図８は、本発明による周波数ホッピング受信装置において、補正されたフィルタ特性を示す図である。
【００３８】
先ず、ホッピング周波数設定部９１は、予め設定されたホッピングパタンに基づいて、所定のタイミングで受信周波数（同調周波数）をｆａに設定する。同調周波数制御部９２は、設定された同調周波数ｆａ（ホッピング周波数ｆａ）に応じた周波数制御データＤ１０、Ｄ２０を生成する（ステップＳ１１）。この際、周波数制御データＤ１０は加算回路９４に出力され、周波数制御データＤ２０は加算回路９５に出力される。
【００３９】
同調周波数補正部９３は、温度センサ１０で検出された周辺温度と、設定された同調周波数（ホッピング周波数）とに対応する補正値Ｄ１１、Ｄ２１を温度補正値用メモリ１１から取得する（ステップＳ１２）。補正値Ｄ１１は加算回路９４に出力され、補正値Ｄ２１は加算回路９５に出力される。詳細には、同調周波数補正部９３は、ホッピング周波数設定部９１からの周波数制御信号ＦＨ１に応じて温度センサ１０から温度情報Ｔを取得し、チューナブルフィルタ回路２の周辺温度を特定する。ここでは、温度Ｔ１が検出されるものとする。そして、同調周波数補正部９３は、周波数制御信号ＦＨ１で特定した同調周波数ｆａと、周辺温度Ｔ１とに対応する補正値Ｄ１１、Ｄ２１を、温度補正値用メモリ１１から抽出する。例えば、図３及び図４を参照して、同調周波数ｆａが、ｆ２＜ｆａ≦ｆ３であり、周辺温度Ｔ１が−５０℃＜Ｔ１≦−３０℃である場合、補正値Ｄ１１Ｆ、Ｄ２１Ｆが選択される。
【００４０】
尚、温度情報Ｔの取得動作は、周波数制御信号ＦＨ１の入力に応じて行なわれても良いし、周期的又は所定のタイミングで行なわれても良い。ただし、周期的に行なわれる場合、取得した温度情報Ｔのうち最新の情報が、補正値Ｄ１１、Ｄ２１の取得に利用されることが好ましい。
【００４１】
ベースバンドＬＳＩ９は、補正値Ｄ１１によって周波数制御データＤ１０を補正し、バリキャップダイオード制御データＤ１を生成する（ステップＳ１３）。詳細には、加算回路９４は、入力された周波数制御データＤ１０と、補正値Ｄ１１とを加算しバリキャップダイオード制御データＤ１を生成する（Ｄ１＝Ｄ１０＋Ｄ１１）。バリキャップダイオード制御データＤ１は、ＤＡＣ９６において制御電圧Ｖ１に変換され、バリキャップダイオードＢＤ１、ＢＤ２に入力される（ステップＳ１４、Ｓ１５）。
【００４２】
又、ベースバンドＬＳＩ９は、補正値Ｄ２１によって周波数制御データＤ２０を補正し、可変インダクタ制御データＤ２を生成する（ステップＳ１６）。詳細には、加算回路９５は、入力された周波数制御データＤ２０と、補正値Ｄ２１とを加算し可変インダクタ制御データＤ２を生成する（Ｄ２＝Ｄ２０＋Ｄ２１）。可変インダクタ制御データＤ２は、ＤＡＣ９７において制御電圧Ｖ２に変換され、可変インダクタＶＬ１に入力される（ステップＳ１７、Ｓ１８）。
【００４３】
尚、ステップＳ１３〜Ｓ１５の処理とステップＳ１６〜Ｓ１８の処理は並行して行なわれることが好ましい。
【００４４】
以上のような動作により、本発明では、温度及び設定受信周波数に応じた補正値によって、バリキャップダイオードＢＤ１、ＢＤ２及び可変インダクタＶＬ１を制御し、フィルタ特性を所望の特性に補正することができる。
【００４５】
図６から図８を参照して、フィルタ特性の補正について説明する。ここでは、常温時におけるチューナブルフィルタ回路２の特性が期待値（同調周波数ｆａ、３ｄＢ通過帯域Ｗ１）となるように、周波数補正データＤ１、Ｄ２が設定されているものとして説明する。常温時では、温度補正を行なう必要がないため、補正値Ｄ１１、Ｄ２１として“０”が選択され、制御電圧Ｖ１、Ｖ２の補正は行なわれない。すなわち、常温時におけるフィルタ特性は図６に示すように期待値（同調周波数ｆａ、３ｄＢ通過帯域Ｗ１）を示す。
【００４６】
図７を参照して、周辺温度が低温又は高温となっても、温度に応じた補正が行なわれない場合、フィルタにおけるインダクタ及び容量の変動により、３ｄＢ通過帯域は常温時（期待値）のＷ１より大きいＷ２となる。この場合、多くの不要波がチューナブルフィルタ回路２を通過するため、受信装置の受信特性は劣化する。又、フィルタの中心周波数も、所望の同調周波数ｆａから偏移する場合がある。この場合、フィルタによって希望波が遮断される恐れがある。
【００４７】
本発明では、同調周波数及び周辺温度に応じた補正値Ｄ１１、Ｄ２１によってフィルタの容量及びインダクタの両方を補正する。図８に示すように、チューナブルフィルタ回路２の容量及びインダクタを適切な値に補正することで、フィルタの中心周波数を設定された同調周波数ｆａに維持しつつ、３ｄＢ通過帯域を期待値Ｗ１に近い又は等しいＷ３に補正することができる。従来技術のように、バリキャップダイオードＢＤ１、ＢＤ２のみを補正する場合、同調周波数の偏移を補正することはできても、通過帯域を所望の範囲にすることができない。
【００４８】
以上のように、本発明では、温度センサ１０で取得した温度情報Ｔを用いて、チューナブルフィルタ回路２のバリキャップダイオードＢＤ１、ＢＤ２の温度特性を補正するとともに、可変インダクタＶＬ１のインダクタ値を補正している。これにより、ホッピング周波数の同調周波数（周波数ｆａ、ｆｂ、ｆｃ、…）に正確に周波数同期させるとともに、フィルタの通過帯域（遮断帯域）を適切な範囲に補正することができる。従って、本発明によるＦＨ受信装置では、従来、温度変化によって除去できなかった隣接周波数の不要波を除去することが可能となり、受信特性を劣化させる一因であるインターモジュレーションを防ぐことができる。本発明によれば、広い温度範囲において、最良な受信特性を得ることができる。
【００４９】
又、ハードウェアとして、温度センサ１０、温度補正値用メモリ１１、加算回路９４、９５等を従来の受信装置に追加しているだけであるため、低コスト、且つサイズの増大を抑制しつつ受信特性を向上させることができる。
【００５０】
以上、本発明の実施の形態を詳述してきたが、具体的な構成は上記実施の形態に限られるものではなく、本発明の要旨を逸脱しない範囲の変更があっても本発明に含まれる。本発明によるＦＨ受信装置は、陸上移動無線機や船舶、及び航空機に搭載する移動無線機に適用できる。又、本実施の形態では、ＦＨ受信装置を一例に説明したが、周波数ホッピング無線方式だけでなく、ソフトウェア無線機のような、受信する無線周波数が変化するＲＦキャリア選択フィルタを利用した受信装置に適用しても良い。
【００５１】
又、本実施の形態では、同調周波数補正部９３は、温度補正値用メモリ１１に格納された補正値Ｄ１１、Ｄ２１を抽出していたが、これに限らず、チューナブルフィルタ回路２の温度特性や周波数特性を示す計算式を用いて、周波数制御データＤ１０、Ｄ２０に応じた補正値Ｄ１１、Ｄ２１を算出しても良い。
【符号の説明】
【００５２】
１：アンテナ
２：チューナブルフィルタ回路
３：ローノイズアンプ（ＬＮＡ）
４：ミキサ
５：バンドパスフィルタ（ＢＰＦ）
６：ＦＨシンセサイザ
７：ＡＧＣアンプ（ＡＧＣ）
８：ＡＤコンバータ（ＡＤＣ）
９：ベースバンドＬＳＩ
９１：ホッピング周波数設定部
９２：同調周波数制御部
９３：同調周波数補正部
９４、９５：加算回路
９６、９７：ＤＡコンバータ（ＤＡＣ）
１０：温度センサ
１１：温度補正値用メモリ
１１１：バリキャップダイオード用補正値テーブル
１１２：可変インダクタ用補正値テーブル
ＢＤ１、ＢＤ２：バリキャップダイオード
ＶＬ１：可変インダクタ
【図１】
2010199768.tif 000003
【図２】
2010199768.tif 000004
【図３】
2010199768.tif 000005
【図４】
2010199768.tif 000006
【図５】
2010199768.tif 000007
【図６】
2010199768.tif 000008
【図７】
2010199768.tif 000009
【図８】
2010199768.tif 000010